【事件の表示】
　特願２０１１−５１５８２９「移動体用スペクトル測定装置」拒絶査定不服審判事件〔平成２２年１２月　２日国際公開、ＷＯ２０１０／１３７１７４〕について、次のとおり審決する。
【結　論】
　本件審判の請求は、成り立たない。
【理　由】
第１　手続の経緯
　
　本願は、２００９年（平成２１年）５月２９日を国際出願日とする出願であって、平成２４年７月６日付けで拒絶理由が通知され、同年９月５日付けで意見書が提出されるとともに、同日付けで手続補正がなされ、平成２５年１月２２日付けで拒絶理由が通知され、同年３月２９日付けで意見書が提出されるとともに、同日付けで手続補正がなされたが、同年８月１６日付けで拒絶査定がなされ、これに対して、同年１１月２０日に拒絶査定不服審判の請求がなされたものである。
　
　
第２　本願発明
　本願の請求項１に係る発明（以下「本願発明」という。）は、平成２５年３月２９日付けの手続補正により補正された特許請求の範囲の請求項１に記載された事項により特定される次のとおりのものと認める。　
「　移動体に搭載されるスペクトルセンサを備える移動体用スペクトル測定装置であって、前記スペクトルセンサは波長情報と光強度情報とを測定可能であり、前記スペクトル測定装置は、前記スペクトルセンサにて検出される観測光のスペクトルデータに基づいて前記移動体の周辺の測定対象を識別し、
　前記観測光の波長域及び波長毎の光強度についての特徴量を複数の段階に多値的に可変とする特徴量可変装置と、
　前記特徴量可変装置による前記波長域についての特徴量可変態様を前記スペクトルデータを変化させる環境要素に応じた制御値に基づき制御する制御器と、
を備えることを特徴とする移動体用スペクトル測定装置。」
　ここで、「波長域についての特徴量」は、その意味する内容が必ずしも明確ではないため、請求人に対してその内容を問い合わせたところ、平成２７年２月１２日付けのファクシミリによる回答書面にて、「「波長域についての特徴量」は、波長域における光強度の分布態様に対応します（段落００５５、特に図２の説明）。換言すると、波長域に含まれる各波長の光強度の相対関係の集まりが「波長域についての特徴量」になります。」との回答を得たので、以下、「波長域についての特徴量」は「波長域に含まれる各波長の光強度の相対関係の集まり」を意味するものとして判断する。
第３　引用例
　
１　原査定の拒絶の理由に引用され、本願の出願前に頒布された刊行物である特開２０００−１１３１５９号公報（以下「引用例１」という。）には、次の事項が記載されている（下線は当審において付加したものである。）。
　
（１）「【０００１】
【産業上の利用分野】この発明は人工衛星、航空機、
地上車両
に搭載し、任意の明るさで撮影したマルチスペクトル画像と、目標物の色の比データから、マルチスペクトル画像内で雑音に埋もれた目標物の位置を確定することが可能なマルチスペクトル画像処理を用いた目標抽出装置
（２）「【０００２】
【従来の技術】リモートセンシングなどに使われているマルチスペクトルセンシング技術で、最近代表的なものとしては、波長帯域で、0.4 〜0.5 μｍ（青）、0.5 〜0.6 μｍ（緑）、0.6 〜0.7 μｍ（赤）、0.75〜0.9 μｍ（近赤外）等を用いた４バンドの
マルチスペクトル撮像装置がある。
（３）「【０００５】
【課題を解決するための手段】本発明に係わる
マルチスペクトル画像処理を用いた目標抽出装置は、ｎ個の波長帯域で取得したデジタル化されたｎバンドのマルチスペクトル画像と、既知である抽出したい目標物の色の比データから、マルチスペクトル画像各点のｎ次元の色強度データを（ｎ−１）次元の角度データに変換する。（ｎ−１）次元の角度座標の中心に目標物の座標を位置させ、目標物の色の比データの分散と雑音源の座標とその分散からしきい値を設定する。しきい値の内部空間に含まれる角度データを目標物と判定し、
（４）上記（２）に摘記したように、引用例１には、従来の技術としてマルチスペクトル撮像装置によるマルチスペクトル画像を用いて目標物を抽出することが記載されており、マルチスペクトル画像を取得するためにはマルチスペクトル撮像装置が必要となることは明らかであるから、引用例１に記載されたマルチスペクトル画像処理を用いた目標抽出装置は、ｎバンドのマルチスペクトル撮像装置を用いてｎバンドのマルチスペクトル画像を取得しているものといえる。
２　引用例１に記載された発明の認定
　
　上記１（１）ないし（４）を含む引用例１全体の記載を総合すると、引用例１には、
　
「　地上車両に搭載し、任意の明るさで撮影したマルチスペクトル画像と、目標物の色の比データから、マルチスペクトル画像内で雑音に埋もれた目標物の位置を確定することが可能なマルチスペクトル画像処理を用いた目標抽出装置であって、
　ｎバンドのマルチスペクトル撮像装置を備え、
　ｎバンドのマルチスペクトル撮像装置を用いてｎ個の波長帯域で取得したデジタル化されたｎバンドのマルチスペクトル画像と、既知である抽出したい目標物の色の比データから、マルチスペクトル画像各点のｎ次元の色強度データを（ｎ−１）次元の角度データに変換し、（ｎ−１）次元の角度座標の中心に目標物の座標を位置させ、目標物の色の比データの分散と雑音源の座標とその分散からしきい値を設定し、しきい値の内部空間に含まれる角度データを目標物と判定する、マルチスペクトル画像処理を用いた目標抽出装置」
の発明（以下「引用発明」という。）が記載されている。
　
３　原査定の拒絶の理由に引用され、本願の出願前に電気通信回線を通じて公衆に利用可能となつた国際公開第２００８／１５２９２２号（以下「引用例２」という。）には、次の事項が記載されている（下線及び和訳は当審において付加したものである。）。
　
（１）第１頁４〜１２行
「　The present invention relates to Solid State Lighting (SSL) systems, and in particular to those which employ red, blue and green LEDs, phosphor converted White Light Emitting Diodes (WLEDs), or hybrid laser-LED-phosphor based light emitters. The proposed SSL system can be used in various lighting applications such as, for example, camera flash, therapy luminaires, adaptive and mood lights, traffic signals, signage, decorative illumination, corridor lights, street lights displays, etc... 」
（　本発明は、固体照明（ＳＳＬ）システムに関し、より詳細には、赤色、青色、及び緑色のＬＥＤ、蛍光体変換白色発光ダイオード（ＷＬＥＤ）、又は、ハイブリッドレーザＬＥＤ蛍光体ベースの発光体を用いた固体照明システムに関する。今回提案するＳＳＬシステムは、様々な照明の用途に使用可能である。例えば、カメラのフラッシュ、治療用の照明設備、適応及びムード光、信号機、標識、装飾照明、廊下用照明、街灯、ディスプレイなどである。）
（２）第１２頁８〜１３行
「　In an illumination system of the invention, a light source is driven to act as a light sensor (whether it acts as light source or a light sensor is determined by the bias applied between the terminals of the device), and the illumination system automatically regulate the output illumination which is spectrally adjusted to the determined light levels.」
（　本発明の照明システムでは、１つの光源が光センサとして機能するために駆動され（光源として機能するか、光センサとして機能するかは、装置の端子間に印加されるバイアスによって決定される）、照明システムは、出力照射を自動的に調整し、この出力照射は、定められた光レベルにスペクトル的に調節される。）
（３）第１３頁８行〜第１４頁２行
「　Additionally the illumination system may also sense the spectral distribution of light, eg of ambient light. In some applications, control of a luminaire on the basis of solely the ambient light intensity may not be sufficient. Even if two ambient light intensities are same, the ambient spectral information could be significantly different for the two cases. Figure 9 shows the spectral power distribution of noon sunlight 5, and figure 10 shows the spectral power distribution of a florescent lamp 6 (solid curve), and tungsten lamp 7 (dotted curve) suggesting that the spectra for common light sources are different - this leads to a large variation in the ambience condition experienced by portable luminaire systems with a particular type of detector. Also, it is well known that the spectral density of sunlight changes during the course of the day and shifts towards the blue at noon and is relatively red in the morning and evening.
　
In the case of a flash light for a camera, for example, in order to obtain a true reproduction of the tones of an original image the spectral output of the flash light would preferably depend on the spectral power distribution of the ambient light.
（　さらに、上記照明システムは、光、例えば周辺光、の分光分布を検知することも可能である。用途によっては、周辺光の強度のみに基づいた発光制御では十分ではない。２つの周辺光の強度が同じであっても、周辺光のスペクトル情報は、これら２つの場合で大きく異なっている可能性がある。図９は、正午の太陽光５のスペクトルパワー分布を示す図であり、図１０は、蛍光灯６のスペクトルパワー分布（実線の曲線）及びタングステン電球７（点線の曲線）のスペクトルパワー分布を示す図である。これらの分布は、よくある光源のスペクトルが異なることを示唆しており、これは、特定の種類の検出器を有する携帯型照明システムが直面する周辺状態は大きく変化することにつながる。また、太陽光のスペクトル密度が、一日の時間の経過と共に変動し、正午には青色側にシフトし、朝夕は比較的赤色であることは良く知られている。
　
カメラ用のフラッシュの場合、例えば、オリジナルの像の色調を正確に再現するためには、フラッシュ光のスペクトル出力は、周辺光のスペクトルパワー分布になるべく依存していることが好ましい。
（４）第１４頁５〜１６行
「　For example, the illumination system may comprises a controller or processor which measures the photocurrent generated by the light source(s) operating in sensing mode and calculates the ambient light level and spectral information. The relative signals from light sources having different wavelength sensitivity characteristics give a spectral signature of the ambient light, and thus allow changes in the ambience light colour to be detected. This information is then fed back to the drivers driving the light sources of the illumination system to dynamically adjust the forward driving condition of the light sources as per the detected ambient lighting conditions.」
（  例えば、照明システムは、制御装置又は処理装置を含んでよく、それらは、検知モードにおいて動作している光源によって生成される光電流を測定し、周辺光レベル及びスペクトル情報を計算する。異なる波長感度特性を有する光源からの相対信号は、周辺光の分光的特徴を与え、従って、周辺光色の変化を検出することが可能になる。次に、この情報は照明システムの光源を駆動する駆動装置にフィードバックされ、以降の光源の駆動状態を検出された周辺光の状態に従って動的に調節する。）
（５）第１５頁１９行〜第１６頁１行
「　In one embodiment of the invention, the detection circuit is adapted to, in one time period, sense an intensity of light using the at least one of the light sources as a photosensor while none of the light sources is driven to emit light. In this embodiment an ambient light intensity is sensed in the one time period. Moreover, if two or more light sources are used as photosensors a spectral distribution of ambient light may also be sensed.」
（  本発明の一実施形態では、検出回路は、１つの期間において、光源のどれもが光を放射するために駆動されていない間に、少なくとも１つの光源を光センサとして用いて光の強度を検知するように構成される。この実施形態の場合、周辺光の強度はこの期間において検知される。さらに、２つ又はそれ以上の光源を光センサとして用いるならば、周辺光の分光分布も検知可能である。）
（６）第１７頁４〜６行
「　A fourth aspect of the present invention provides a flashlight comprising an illumination system of the first or second aspect.」
（  本発明の第４の形態は、上記第１の形態又は上記第２の形態の照明システムを有するフラッシュ装置を提供する。）
（７）第２０頁１８行〜第２２頁７行
「For example, by driving two or more light sources having different spectral characteristics as light sensors it is possible to obtain information about ambient light intensity in two different wavelength ranges, and thus obtain information about spectral power density.
　When switch 1 1 is open and switch 12 is closed the driver circuit drives the light source(s) to emit light. The driver circuit is able to make use of information about the detected light level and spectral information to drive the light source(s) to obtain a desired spectral output.
　An adjustment circuitry 15 is provided in the illumination system of figure 1 1 in a feedback loop 27. The circuitry 15 first compares the incoming information from the digital processor 14 with target spectral information already stored in the adjustment circuitry 15 (for example in a case where the illumination system is designed to give a typical spectral output). The circuitry determines desired intensities for the light source(s), and passes this information to the driver circuit 16.
　
As an example, the illumination system may determine that the spectrum of ambient light is biased towards the red end of the spectrum, eg, contains more light at the red wavelengths (and less light at blue wavelengths) than the spectrum for bright sunlight. The adjustment circuitry 15 would accordingly control the drive circuit 16 such that, in the light output from the illumination system, the emitted intensity of blue light was increased relative to the emitted intensity of red light.
　The adjustment circuitry may preferably store several sets of target spectral information, each set corresponding to a certain pre-defined lighting condition (such as, for example, bright sunlight, dusk, dawn, or illumination conditions relating to medically healing outputs that cater for particular physiological phenomena/ aspects). A user is able to select one of the sets of stored spectral information, depending on a desired application.
　According to this embodiment 
the lighting system does not use any external photo sensors or colour sensors for sensing changes in the ambience light level conditions and performing automatic illumination adjustments.
（例えば、異なるスペクトル特性を有する２つ又はそれ以上の光源を光センサとして駆動することによって、２つの異なる波長帯における周辺光強度に関する情報を得ることが可能であり、従ってスペクトルパワー密度に関する情報を得ることが可能である。
　スイッチ１１が開いておりスイッチ１２が閉じているときには、駆動回路は、光源を駆動して発光させる。駆動回路は、検出された光レベル及びスペクトル情報を利用して、所望のスペクトル出力を得るように光源を駆動することができる。
　図１１の照明システムには、フィードバックループ２７内に調節回路１５が設けられている。調節回路１５は、最初に、デジタル処理装置１４から入ってくる情報と、既に調節回路１５に記憶されている目標スペクトル情報（例えば、照明システムが典型的なスペクトル出力を供給するように設計されている場合）とを比較する。調節回路１５は、光源に望まれる強度を決定し、この情報を駆動回路１６に送る。
　
一例として、照明システムは、周辺光のスペクトルがスペクトルの赤側の色域に偏っている、つまり、明るい太陽光のスペクトルよりも赤色の波長においてより多くの光（そして、青色の波長においてより少ない光）を含有すると判定することがある。これに応じて、調節回路１５は、照明システムからの光出力において、青色光の発光の強度が赤色光の発光の強度に対して増加するように、駆動回路１６を制御する。
　この調節回路は、目標スペクトル情報を数セット記憶することができるように構成されていることが好ましい。各セットは、あらかじめ特定された照明状態（例えば、明るい太陽光、夕暮れ、明け方、または、特定の生理学的な現象／局面に応じた医学治癒用出力に関する照明状態）に対応したものである。ユーザは、所望の用途に応じて、記憶されたスペクトル情報のセットのうちの１つを選択することができる。
　本実施形態によれば、
照明システムは、外部の光センサもカラーセンサも全く使用せずに、周辺光レベルの状態の変化を検知して自動照明調節を行う。
（８）第２２頁１０行〜第２３頁４行
「　Using the proposed embodiment 
a smart portable light source such as a LED camera flash etc. can be constructed in such a way that it can adjust itself and compensate for the colour balance of the ambient light. For example, it can emit more/ less blue light depending on the operating environment such as under tungsten light, florescent light or evening sun.
　The proposed embodiment can be very useful for applications where a user desires a specific spectral output from an illumination system such as a spectrum similar to that of a morning or an evening sun, so that the output of the illumination system replicates the specific output desired by the user. This allows the illumination system to imitate lighting conditions desired by the user for different applications (for example lighting conditions typical of particular times of the day or for addressing physiological conditions such as seasonal affective disorders SAD) while simultaneously adapting to the ambient lighting conditions.」
（　提案した実施形態を用いて、
カメラのＬＥＤフラッシュ装置のような高性能な携帯型光源を、自己調節型とし、周辺光のカラーバランスを補うように構成することが可能である。例えば、上記高性能の携帯型光源は、タングステン灯、蛍光灯、又は夕日の下といった動作環境に応じて、より多くの／より少ない青色光を出射することが可能である。
　提案する実施形態は、ユーザが、照明システムから、朝日又は夕日のスペクトルに似たスペクトルのような特定のスペクトルで出力させることを希望する用途では、非常に有用であり、照明システムの出力は、ユーザが望む特定の出力を再現する。このため、照明システムに、異なる用途においてユーザが望む照明状態（例えば、一日の特定の時間に典型的な照明状態、又は、季節性情動障害ＳＡＤといった生理学的状態に対処する照明状態）を模倣させると同時に、周辺光の状態に適合させることが可能になる。）
（９）ＦＩＧ．９　（図９）
「
　　　　　　　　　　　　　　　　　　　　　　　　　　　　　」
（１０）ＦＩＧ．１０　（図１０）
「
　　　　　　　　　　　　　　　　　　　　　　　　　　　　　」
４　引用例２に記載された技術の認定
　
　上記３（１）ないし（１０）を含む引用例２全体の記載を総合すると、引用例２には、以下の技術が記載されている。
「　カメラによる撮影において、オリジナルの像の色調を正確に再現するために、タングステン灯、蛍光灯、又は夕日の下といった動作環境に応じて、調節回路により駆動回路を制御してフラッシュ光における青色光の出射量を変化させ、周辺光のカラーバランスを補うようにフラッシュ光のカラーバランスを自動調節する技術。」
（以下「引用例２技術」という。）
第４　本願発明と引用発明との対比
　
１　対比
　
　本願発明と引用発明とを対比する。
　
（１）引用発明の「地上車両」は、本願発明の「移動体」に相当する。
（２）引用発明の「ｎバンドのマルチスペクトル撮像装置」は、「ｎ個の波長帯域で」「デジタル化されたｎバンドのマルチスペクトル画像」を「取得」するものであって、「ｎ個の波長帯域」に対応した「ｎ個の」「色強度データ」を取得するものであり、また、引用発明の「ｎバンドのマルチスペクトル撮像装置」は「地上車両に搭載」される「目標抽出装置」に備えられるものであるから、本願発明の「移動体に搭載される」「波長情報と光強度情報とが測定可能」な「スペクトルセンサ」に相当する。
（３）引用発明の「マルチスペクトル画像処理を用いた目標抽出装置」は、「ｎバンドのマルチスペクトル撮像装置を用いて」「ｎ個の波長帯域で」「デジタル化されたｎバンドのマルチスペクトル画像」を「取得」するものであって、スペクトルを測定しており、また、「地上車両に搭載」される地上車両用のものであるから、本願発明の「移動体用スペクトル測定装置」に相当する。
（４）引用発明の「デジタル化されたｎバンドのマルチスペクトル画像」は、本願発明の「観測光のスペクトルデータ」に相当する。
（５）引用発明の「目標物」は、地上車両に搭載されるマルチスペクトル撮像装置により撮影可能なものであり、地上車両の周辺に存在することは明らかであるから、本願発明の「移動体の周辺の測定対象」に相当する。
（６）引用発明の「ｎバンドのマルチスペクトル撮像装置を用いてｎ個の波長帯域で取得したデジタル化されたｎバンドのマルチスペクトル画像と、既知である抽出したい目標物の色の比データから、マルチスペクトル画像各点のｎ次元の色強度データを（ｎ−１）次元の角度データに変換し、（ｎ−１）次元の角度座標の中心に目標物の座標を位置させ、目標物の色の比データの分散と雑音源の座標とその分散からしきい値を設定し、しきい値の内部空間に含まれる角度データを目標物と判定する」ことは、少なくともデジタル化されたｎバンドのマルチスペクトル画像を用いて目標物の判定をしており、デジタル化されたｎバンドのマルチスペクトル画像に基づいて目標物の判定をしているといえる。
（７）引用発明の「しきい値の内部空間に含まれる角度データを目標物と判定する」ことは、しきい値の内部空間に含まれる角度データを目標物として抽出することであるから、それにより目標物を識別しているといえる。
（８）上記（４）ないし（７）から、引用発明の「ｎバンドのマルチスペクトル撮像装置を用いてｎ個の波長帯域で取得したデジタル化されたｎバンドのマルチスペクトル画像と、既知である抽出したい目標物の色の比データから、マルチスペクトル画像各点のｎ次元の色強度データを（ｎ−１）次元の角度データに変換し、（ｎ−１）次元の角度座標の中心に目標物の座標を位置させ、目標物の色の比データの分散と雑音源の座標とその分散からしきい値を設定し、しきい値の内部空間に含まれる角度データを目標物と判定する」ことは、本願発明の「前記スペクトルセンサにて検出される観測光のスペクトルデータに基づいて前記移動体の周辺の測定対象を識別」することに相当する。
２　一致点
　
　よって、本願発明と引用発明とは、
　
「　移動体に搭載されるスペクトルセンサを備える移動体用スペクトル測定装置であって、前記スペクトルセンサは波長情報と光強度情報とを測定可能であり、前記スペクトル測定装置は、前記スペクトルセンサにて検出される観測光のスペクトルデータに基づいて前記移動体の周辺の測定対象を識別する、移動体用スペクトル測定装置。」　
　
の発明である点で一致し、次の点で相違する。
　
３　相違点
　
（相違点）
　本願発明は「スペクトルセンサにて検出される観測光の波長域及び波長毎の光強度についての特徴量を複数の段階に多値的に可変とする特徴量可変装置と、前記特徴量可変装置による前記波長域についての特徴量可変態様をスペクトルセンサにて検出される観測光のスペクトルデータを変化させる環境要素に応じた制御値に基づき制御する制御器と、を備える」のに対し、引用発明はそのような構成を備えているかが不明である点。
　
第５　当審の判断
　
１　上記相違点について検討する。
（１）引用例２には、上記第３の４のとおり、
「　カメラによる撮影において、オリジナルの像の色調を正確に再現するために、タングステン灯、蛍光灯、又は夕日の下といった動作環境に応じて、調節回路により駆動回路を制御してフラッシュ光における青色光の出射量を変化させ、周辺光のカラーバランスを補うようにフラッシュ光のカラーバランスを自動調節する技術。」
である引用例２技術が記載されている。
　引用例２技術は、青色光の出射量のみを変化させて周辺光のカラーバランスを補うようにフラッシュ光のカラーバランスを自動調節しているが、引用例２には、「オリジナルの像の色調を正確に再現するためには、フラッシュ光のスペクトル出力は、周辺光のスペクトルパワー分布になるべく依存していることが好ましい」ことが記載されており（上記第３の３（３））、さらに、図１０に記載された蛍光灯のスペクトルパワー分布（上記第３の３（１０））が赤色の波長域における光強度が他の波長域における光強度よりも小さいことを示していることに鑑みれば、引用例２技術において青色光の出射量に加えて赤色光の出射量をも変化させるようにすること、ひいては、出射量を変化させることのできる光の波長の数を増加させ、撮像可能な波長域に含まれる各波長の光強度の相対関係の集まりを変化させるようにすることは、どの程度オリジナルの像の色調を正確に再現させたいかという要望に応じて決定される設計要素であるといえる。
（２）引用発明は、マルチスペクトル撮像装置で取得したマルチスペクトル画像に基づいて目標物を判定する際に、抽出したい目標物の既知の色の比データを用い、マルチスペクトル画像に含まれる色の比データのうち、当該目標物の既知の色の比データと一致する範囲を目標物であると判定するものであるから、引用発明において目標物の判定を正確に行うためには、マルチスペクトル画像に含まれる目標物の色の比データが、当該目標物の既知の色の比データと一致するものである必要があることは、自明な事項である。
　そして、地上車両は様々な環境光の下で使用されるものであり、マルチスペクトル撮像装置を含め、撮像装置により取得される色データが環境光の変化の影響を受けて変化することは本願出願時における技術常識であるから、引用発明において、マルチスペクトル撮像装置で取得するマルチスペクトル画像に含まれる目標物の色の比データが、環境光の変化による影響を受けずに、当該目標物の既知の色の比データと一致するようにすることは、引用発明に内在される課題であるといえる。
（３）引用発明と引用例２技術とは、いずれも画像を取得する技術に関するものであるか、引用発明において上記内在される課題を解決するために、引用例２技術に基づいて動作環境に応じて波長に対する光強度を変化させることのできる照明装置を付加し、その際、引用例２において複数の異なる波長帯の周辺光強度情報を得てスペクトル出力の調節を行うことが示唆されているように（上記第３の３（７）等の記載参照）、より環境光のスペクトル分布の影響を排除して正確な判定を行うために出射量を変化させることのできる光の波長の数を増加させ、マルチスペクトル撮像装置で取得可能な波長域に含まれる各波長の光強度の相対関係の集まりを変化させるように設計変更を施して上記相違点に係る本願発明の発明特定事項のように構成することは、当業者が容易に想到し得ることである。
２　本願発明の奏する作用効果
　
　本願発明によってもたらされる効果は、引用発明及び引用例２技術から当業者が予測し得る程度のものである。
　
３　まとめ
　
　以上のとおりであり、本願発明は、引用発明及び引用例２技術に基いて当業者が容易に発明をすることができたものであるから、特許法第２９条第２項の規定により特許を受けることができない。
　
　
第６　むすび
　
　以上のとおりであるから、本願発明は、特許法第２９条第２項の規定により特許を受けることができない。
　
　したがって、その余の請求項に係る発明について論及するまでもなく、本願は拒絶すべきものである。
　
　
　よって、結論のとおり審決する。